(57)【要約】      （修正有） 【課題】均一な染色効果を得る、コンベアベルトを具えるベルト駆動布帛染色機の染色管の改良構造を提供する。【解決手段】染色管１２をノズル５の後方か下方に取り付けて連結し、該染色管１２が布帛３と染料液Ｌの進入する進入口１２１と布帛３と染料液１を排出する出口１２２とを具え、かつ該染色管１２の中間部が該進入口１２１と出口１２２より低く、該染色管１２に高低差が形成され。染料液Ｌが該染色管１２内に充満し、かつ該染色管１２内に滞留し、布帛３が該染色管１２を通過する過程において該染色管１２内の染料液Ｌ内に比較的長い時間滞留し、布帛３が該染色管１２内で染料液Ｌと比較的十分な時間相互交換を行い、陣頭時間が長くなって布帛３の均一な染色効果が増進する。【選択図】図１
0003213401.tif 000002
【実用新案登録請求の範囲】
【請求項１】
一種のコンベアベルトを具えるベルト駆動布帛染色機の染色管の改良構造であって、主に一種の布帛の均一な染色効果を高める染色管を提供するものであり、該染色管をノズルの後方か下方に取り付けて連結し、該染色管が布帛と染料液の進入する進入口と布帛と染料液を排出する出口とを具え、かつ該染色管の中間部が該進入口と出口より低く、該染色管に高低差が形成され。染色液が該染色管内に充満し、かつ該染色管内に滞留し、布帛が該染色管を通過する過程において該染色管内の染色液内に比較的長い時間滞留し、布帛が該染色管内で染色液と比較的十分な時間相互交換を行い、陣頭時間が長くなって布帛の均一な染色効果が増進し、該染色管の造形は前後端の高低差にしたがって異なる形状にすることができることを特徴とするコンベアベルトを具えるベルト駆動布帛染色機の染色管の改良構造。
【考案の詳細な説明】
【技術分野】
【０００１】
この考案は、染色機に関し、特に染料液を染色管内に効率よく充満させ、かつ滞留させて、布帛の染色管内における滞留時間を比較的長くして、同時に布帛と染料液との相互交換による浸透時間も比較的長くして布帛の均一な染色効果を得る、コンベアベルトを具えるベルト駆動布帛染色機の染色管の改良構造に関する。
【背景技術】
【０００２】
従来のコンベアベルトを具える布帛染色機は、染色管を水平にするか、またはやや傾斜させて染色機本体の上部か、下部に設置し、かつノズルから染料液を噴射して流動させ、内を通過させる。布帛は染色機本体内において、染色管を通過することで染料液に浸され、循環染色が進行する。この場合、染色管は水平か、やや傾斜した状態で設置されているため、染料液が染料管の液体入り口から流入すると、短時間で染色管内を流れて液体出口から流出する。しかも、染色管内に染料液が充満することがない。したがって、布帛が染料液と相互交換による浸透の時間は僅かな時間だけとなり、布帛の染色の均一性が劣ることになる。
【考案の概要】
【考案が解決しようとする課題】
【０００３】
この考案は、染色機の染色管の構造を改変することで、染料液を染色管内に滞留する時間を比較的長くし、かつ染色管内に充満させるとともに、染色管を通過する布帛の滞留時間を比較的長くして、染料液内で相互交換によって浸透させて、均一な染色効果を得る、コンベアベルトを具えるベルト駆動布帛染色機の染色管の改良構造を提供することを課題とする
【課題を解決するための手段】
【０００４】
この考案は上述する課題を解決するものであって、染色管をノズルの後方か下方に取り付けて連結し、染色管が布帛と染料液の進入する進入口と布帛と染料液を排出する出口とを具える。該進入口を設ける位置は該出口を設ける位置より高くするか、もしくは等しくし、かつ該染色管の中間部が該進入口と出口より低くすることで染料液が進入口から該染色管内に進入し、進入口と出口と染色管との間に高度差が形成され、染色液が該染色管内に滞留し、布帛が該染色管を通過する過程において該染色管内の染色液内に比較的長い時間滞留し、布帛が該染色管内で染色液と比較的十分な時間相互交換を行い、浸透時間が長くなって布帛の均一な染色効果が増進し、該染色管の造形は前後端の高低差にしたがって異なる形状にすることができる。
【０００５】
この考案の技術手法は、染色機の染色管の構造を改良するものであって、該染色管が布帛と染料液の進入する進入口と布帛と染料液を排出する出口とを具え、該進入口を設ける位置は該出口を設ける位置より高くするか、もしくは等しくし、かつ該染色管の中間部が該進入口と出口より低くする。よって染料液が染色管に充満し、かつ滞留し、布帛が該染色管を通過する過程において該染色管内の染色液内に比較的長い時間滞留し、布帛が該染色管内で染色液と比較的十分な時間相互交換を行い、浸透時間が長くなって布帛の均一な染色効果が増進し、該染色管の造形は前後端の高低差にしたがって異なる形状にすることができる。
【図面の簡単な説明】
【０００６】
【図１】この考案の第１の実施の形態による、コンベアベルトを具えるベルト駆動布帛染色機の染色管の構造を示した説明図である。
【図２】この考案の第２の実施の形態による、コンベアベルトを具えるベルト駆動布帛染色機の染色管の構造を示した説明図である。
【考案を実施するための形態】
【実施例】
【０００７】
図１に、この考案の提供するコンベアベルトを具えるベルト駆動布帛染色機の染色管の構造の第１の実施の形態を開示する。図面に開示するように、染色機本体１内にコンベアベルト２を設け、コンベアベルト２によって布帛３を装置本体１の後方から前方に搬送する。布帛３は、さらにガイドローラ４とアイドルプーリ４１にガイドされてノズル５と染色管１２に進入する。染料液Ｌはポンプ７の加圧によって熱交換機８を経て温度が制御されてノズル５から吐出し、かつ布帛３を移動させて染色管１２内に進入させ、布帛３に染色作用を発生させる。布帛３はコンベアベルト２に落ちて染色機本体の前端に搬送される。染料液Ｌは染色機本体の底部に落ちて貯留槽６に至り、フィルター６１を経て不純物が除去され、さらにポンプ７によって加圧されて熱交換機８による温度制御を経てノズル５から吐出する。このように、環状に循環する運動が形成されて染色加工の工程が進行する。また、制御ボックス９を具え、内設するコンピュータ、またはプログラマブルロジックコントローラ（ＰＬＣ）によってコンベアベルト２とガイドローラ４の速度を制御するか、または修正して、布帛３とコンベアベルト２を正確に制御するとともに、ガイドローラ４の回転速度を同期させる。
【０００８】
図１に開示する実施例において、染色管１２の布帛と染料液の進入口１２１は、染色機内に垂直に配置され、ノズル５は染色液を上から下に吐出し、進入口１２１から進入する。染色管１２の布帛と染料液の進入する進入口１２１は、設ける位置の高さを布帛と染料液を排出する出口１２２より高くするとともに、染色管１２の中間部を進入口１２１と出口１２２より低くする。よって、進入口１２１と染色管１２は第１高度差ｄ１を具え、出口１２２は、設ける位置の高さを染色管１２の内部上面の高さより高くする。よって出口１２２の位置の差と染色管１２の内部上面との間に第２高度差ｄ２が形成される。このため、パスカルの原理によって染色管１２の内部空間に染料液が充満し、かつ滞留する。したがって、布帛３は染色管１２を通過する過程において、染色管１２内の染色液内に比較的長い時間滞留する。このため、布帛３と染料液とが相互交換による浸透時間が長くなり、布帛３は好ましく、かつ均一な染色効果が得られる。染色管１２の造形は、前後両端の高低差を具えていれば、如何なる形状のデザインであってもよい。染色槽本体の形状が異なれば、進入口１２１を出口１２２より低くしてもよい。
【０００９】
図２にこの考案の第２の実施の形態を開示する。第２の実施の形態による染色機の構造は、基本的に上述する第１の実施の形態と同様であって、染色管１２とノズル５とを設ける方向のみが異なる。よって、第２の実施の形態にかかる説明は、染色機の構造に関する部分を省略し、染色管１２の部分についてのみ説明する。図２に開示する実施の形態において、染色管１２の進入口１２１は水平か、またはやや傾斜して染色機に連結し、かつノズル５の吐出する染料液が進入口１２１から進入する。染色管１２の進入口１２１を設ける位置の高さは出口１２２を設ける位置の高さより高くする。よって、進入口１２１と染色管１２との間に第１高度差ｄ１を具える。また、布帛と染料液を排出する出口１２２を設ける位置の高さは、染色管１２の内部上面の高さより高くする。このため出口１２２と染色管１２の内部上面との間に第２高度差ｄ２が形成される。このため、パスカルの原理によって染色管１２の進入口１２１以下の空間に染料液が滞留し、布帛３は染色管１２を通過する過程において、染色管１２内の染色液内に比較的長い時間滞留する。このため、布帛３と染料液とが相互交換による浸透時間が長くなり、布帛３は好ましく、かつ均一な染色効果が得られる。染色槽本体の形状が異なれば、出口１２２を進入口１２１より高くしてもよい。
【符号の説明】
【００１０】
１        染色機本体
１１      助剤タンク
１２      染色管
１２１    進入口
１２２    出口
２        コンベアベルト
３        布帛
４        ガイドローラ
４１      アイドルプーリ
５        ノズル
６        貯留槽
６１      フィルター
７        ポンプ
８        熱交換器
９        制御ボックス
Ｌ        染料液
ｄ１      第１高度差
ｄ２      第２高度差
【図１】
0003213401.tif 000003
【図２】
0003213401.tif 000004
【手続補正書】
【提出日】平成29年9月6日(2017.9.6)
【手続補正１】
【補正対象書類名】実用新案登録請求の範囲
【補正対象項目名】全文
【補正方法】変更
【補正の内容】
【実用新案登録請求の範囲】
【請求項１】
一種のコンベアベルトを具えるベルト駆動布帛染色機の染色管の改良構造であって、主に一種の布帛の均一な染色効果を高める染色管を提供するものであり、該染色管をノズルの後方か下方に取り付けて連結し、該染色管が布帛と染料液の進入する進入口と布帛と染料液を排出する出口とを具え、かつ該染色管の中間部が該進入口と出口より低く、該染色管に高低差が形成され、染色液が該染色管内に充満し、かつ該染色管内に滞留し、布帛が該染色管を通過する過程において該染色管内の染色液内に比較的長い時間滞留し、布帛が該染色管内で染色液と比較的十分な時間相互交換を行い、陣頭時間が長くなって布帛の均一な染色効果が増進し、該染色管の造形は前後端の高低差にしたがって異なる形状にすることができることを特徴とするコンベアベルトを具えるベルト駆動布帛染色機の染色管の改良構造。